(57)【要約】【課題】排気浄化装置の状態に基づき、排出ガスに燃料を添加する燃料添加制御を実行する場合に、バイオ燃料濃度の高い燃料であっても、粒子状物質の発生と、排気燃料添加弁の噴孔詰まりとを抑制できる排気浄化制御装置を提供すること。【解決手段】内燃機関１０の筒内に燃料を噴射する燃料噴射装置８０と、排気通路５０における排気浄化装置５５よりも上流側に燃料を噴射する排気燃料添加弁８８とを備え、排気浄化装置の状態に基づいて、排出ガスに燃料を添加する燃料添加制御を実行する排気浄化制御装置であって、燃料に含まれるバイオ燃料の濃度を検出または推定する検出推定手段１２８と、燃料噴射装置および排気燃料添加弁を制御する制御手段１００とを備え、制御手段は、バイオ燃料の濃度が予め定められた所定濃度以上の場合に、燃料添加制御のための燃料の噴射を燃料噴射装置による燃料の噴射と排気燃料添加弁による燃料の噴射とに分けて行う。【選択図】        図１
2009185735.tif 000002
【特許請求の範囲】
【請求項１】
内燃機関の筒内に燃料を噴射する燃料噴射装置と、
前記内燃機関の排気通路における排出ガスを浄化する排気浄化装置よりも上流側に前記燃料を噴射する排気燃料添加弁とを備え、
前記排気浄化装置の状態に基づいて、前記排気浄化装置へ向けて流れる前記排出ガスに前記燃料を添加する燃料添加制御を実行する排気浄化制御装置であって、
前記燃料に含まれるバイオ燃料の濃度を検出または推定する検出推定手段と、
前記燃料噴射装置および前記排気燃料添加弁による前記燃料の噴射を制御する制御手段とを備え、
前記制御手段は、前記検出推定手段により検出または推定された前記濃度が予め定められた所定濃度以上の場合に、前記燃料添加制御のための前記燃料の噴射を前記燃料噴射装置による前記燃料の噴射と前記排気燃料添加弁による前記燃料の噴射とに分けて行う
ことを特徴とする排気浄化制御装置。
【請求項２】
請求項１記載の排気浄化制御装置において、
前記制御手段は、前記濃度が前記所定濃度以上の場合には、前記燃料添加制御のための前記燃料の噴射を主として前記燃料噴射装置に行わせ、かつ、前記燃料添加制御において前記排気燃料添加弁による前記燃料の噴射を休止した状態が予め定められた所定期間継続した場合には、前記排気燃料添加弁に前記燃料添加制御のための前記燃料の噴射を行わせる
ことを特徴とする排気浄化制御装置。
【請求項３】
請求項２記載の排気浄化制御装置において、
前記所定期間は、前記排出ガスの温度が高温である場合には、前記排出ガスの温度が低温である場合に比べて短く設定される
ことを特徴とする排気浄化制御装置。
【請求項４】
請求項２または３に記載の排気浄化制御装置において、
前記所定期間は、前記濃度が高濃度である場合には、前記濃度が低濃度である場合に比べて長く設定される
ことを特徴とする排気浄化制御装置。
【請求項５】
請求項１から４のいずれか１項に記載の排気浄化制御装置において、
前記排気浄化装置とは、窒素酸化物を吸蔵するＮＯｘ吸蔵還元型触媒であり、
前記燃料添加制御とは、前記ＮＯｘ吸蔵還元型触媒の前記窒素酸化物の吸蔵状態に基づいて、前記排出ガスに前記燃料を添加し、前記ＮＯｘ吸蔵還元型触媒に還元雰囲気を形成する制御である
ことを特徴とする排気浄化制御装置。
【発明の詳細な説明】
【技術分野】
【０００１】
本発明は、排気浄化制御装置に関し、特に、排出ガスを浄化する排気浄化装置の状態に基づいて、排気浄化装置へ向けて流れる排出ガスに燃料を添加する燃料添加制御を実行する排気浄化制御装置に関する。
【背景技術】
【０００２】
ディーゼル式の内燃機関（以下、単に「ディーゼル機関」と記す）には、一般的に、排気浄化装置として、排出ガス中の有害成分を触媒反応により浄化する排気浄化触媒等が設けられる。排気浄化触媒には、例えば、排出ガス中の窒素酸化物（ＮＯｘ）を吸蔵し、窒素に還元するＮＯｘ吸蔵還元型触媒等がある。ＮＯｘ吸蔵還元型触媒に、還元剤としての炭化水素を供給することで、吸蔵された窒素酸化物を、炭化水素と反応させて窒素に還元することができる。
【０００３】
このように、還元剤の供給を要する排気浄化触媒を備えたディーゼル機関においては、排気浄化触媒に、還元剤としての炭化水素を供給するため、排気浄化触媒に向けて流れる排出ガス中に燃料を添加する燃料添加制御を実行する必要がある。
【０００４】
排気浄化触媒へ流れる排出ガス中に燃料を添加するため、ディーゼル機関においては、気筒内に燃料を供給する燃料噴射装置とは別に、排気通路のうち排気浄化触媒より上流側において燃料を添加する「排気燃料添加弁」が設けられたものが知られている（例えば、特許文献１参照）。
【０００５】
ところで、ディーゼル機関においては、近年、菜種油やパーム油、大豆油等の植物油を原料として合成された、生物由来のディーゼル燃料（以下、単に「バイオ燃料」と記す）が用いられることがある。バイオ燃料は、軽油に比べて高沸点成分を多く含んでおり、気化しにくい（揮発性が低い）等の特徴を有している。
【０００６】
このようなバイオ燃料は、所定の濃度で軽油と混合されて、ディーゼル機関に用いられることがある。このため、特許文献１のディーゼル機関の制御技術においては、混合燃料に含まれるバイオ燃料の濃度を、ＮＯｘ吸蔵還元型触媒の下流側に設けられた空燃比センサの出力から検出し、検出されたバイオ燃料の濃度が高くなるに従って、所定の軽油（基準燃料）が用いられる場合に比べて、燃料添加初期の燃料添加量を増量させると共に、燃料添加後期の燃料添加量を減少させている。また、排気温度が低くなるに従って、所定の軽油が用いられた場合に比べて、燃料添加初期の燃料添加量と、燃料添加後期の燃料添加量との差が大きくなるように制御している。
【０００７】
これにより、所定の軽油（基準燃料）とは揮発性（蒸発性）が異なる混合燃料が用いられた場合であっても、ＮＯｘ吸蔵還元型触媒近傍における空燃比の挙動（時間変動）を、所定の軽油が添加された場合の挙動に近づけている。
【０００８】
【特許文献１】特開２００６−１７７３１３号公報
【発明の開示】
【発明が解決しようとする課題】
【０００９】
しかし、特許文献１に記載の制御技術では、バイオ燃料の濃度（以下、バイオ燃料濃度と記す）が高くなるに従って、燃料添加初期の燃料添加量が増量されるため、バイオ燃料濃度が高い混合燃料が用いられた場合には、排気燃料添加弁から噴射された燃料の微粒化及び気化が悪化して、噴射燃料が酸化しにくくなり、すす等の粒子状物質の発生量が増大する虞がある。
【００１０】
また、排気燃料添加弁は高温の排出ガスと接する。このため、排気燃料添加弁の噴射制御の態様によっては、排気燃料添加弁が高温となり、排気燃料添加弁の先端部に残留している燃料が蒸し焼き状態になり、すす等を生成して噴孔詰まりを起こす可能性がある。
【００１１】
本発明は、上記に鑑みてなされたものであって、排気浄化装置の状態に基づいて、排気浄化装置へ向けて流れる排出ガスに燃料を添加する燃料添加制御を実行する場合に、バイオ燃料濃度の高い燃料が用いられた場合であっても、すす等の粒子状物質の発生を抑制可能で、かつ、排気通路のうち排気浄化触媒より上流側において燃料を添加する排気燃料添加弁の噴孔詰まりの発生を抑制できる排気浄化制御装置を提供することである。
【課題を解決するための手段】
【００１２】
本発明の排気浄化制御装置は、内燃機関の筒内に燃料を噴射する燃料噴射装置と、前記内燃機関の排気通路における排出ガスを浄化する排気浄化装置よりも上流側に前記燃料を噴射する排気燃料添加弁とを備え、前記排気浄化装置の状態に基づいて、前記排気浄化装置へ向けて流れる前記排出ガスに前記燃料を添加する燃料添加制御を実行する排気浄化制御装置であって、前記燃料に含まれるバイオ燃料の濃度を検出または推定する検出推定手段と、前記燃料噴射装置および前記排気燃料添加弁による前記燃料の噴射を制御する制御手段とを備え、前記制御手段は、前記検出推定手段により検出または推定された前記濃度が予め定められた所定濃度以上の場合に、前記燃料添加制御のための前記燃料の噴射を前記燃料噴射装置による前記燃料の噴射と前記排気燃料添加弁による前記燃料の噴射とに分けて行うことを特徴とする。
【００１３】
本発明の排気浄化制御装置において、前記制御手段は、前記濃度が前記所定濃度以上の場合には、前記燃料添加制御のための前記燃料の噴射を主として前記燃料噴射装置に行わせ、かつ、前記燃料添加制御において前記排気燃料添加弁による前記燃料の噴射を休止した状態が予め定められた所定期間継続した場合には、前記排気燃料添加弁に前記燃料添加制御のための前記燃料の噴射を行わせることを特徴とする。
【００１４】
本発明の排気浄化制御装置において、前記所定期間は、前記排出ガスの温度が高温である場合には、前記排出ガスの温度が低温である場合に比べて短く設定されることを特徴とする。
【００１５】
本発明の排気浄化制御装置において、前記所定期間は、前記濃度が高濃度である場合には、前記濃度が低濃度である場合に比べて長く設定されることを特徴とする。
【００１６】
本発明の排気浄化制御装置において、前記排気浄化装置とは、窒素酸化物を吸蔵するＮＯｘ吸蔵還元型触媒であり、前記燃料添加制御とは、前記ＮＯｘ吸蔵還元型触媒の前記窒素酸化物の吸蔵状態に基づいて、前記排出ガスに前記燃料を添加し、前記ＮＯｘ吸蔵還元型触媒に還元雰囲気を形成する制御であることを特徴とする。
【発明の効果】
【００１７】
本発明によれば、排気浄化装置の状態に基づいて、排気浄化装置へ向けて流れる排出ガスに燃料を添加する燃料添加制御を実行する場合に、バイオ燃料濃度の高い燃料が用いられた場合であっても、すす等の粒子状物質の発生を抑制可能で、かつ、排気通路のうち排気浄化触媒より上流側において燃料を添加する排気燃料添加弁の噴孔詰まりの発生を抑制することができる。
【発明を実施するための最良の形態】
【００１８】
以下、本発明の排気浄化制御装置の一実施形態につき図面を参照しつつ詳細に説明する。
【００１９】
（第１実施形態）
図１から図６を参照して、第１実施形態について説明する。本実施形態は、排出ガスを浄化する排気浄化装置の状態に基づいて、排気浄化装置へ向けて流れる排出ガスに燃料を添加する燃料添加制御を実行する排気浄化制御装置に関する。
【００２０】
本実施形態では、ディーゼル機関（図１の符号１０参照）から排出される排出ガス中の窒素酸化物を吸蔵し、窒素に還元する排気浄化触媒（図１の符号５５参照）の状態に基づいて、排気浄化触媒５５へ向けて流れる排出ガスに燃料を添加する燃料添加制御が実行される。排気浄化触媒５５において、吸蔵された窒素酸化物の還元が必要であると判定された場合には、排気浄化触媒５５において還元雰囲気を形成するために、燃料添加制御が実行される。
【００２１】
本実施形態のディーゼル機関１０の排気通路２６には、燃料添加制御のための燃料を噴射する装置として、排気通路２６における排気浄化触媒５５よりも上流側に燃料を噴射する排気燃料添加弁（図１の符号８８参照）が設けられている。ここで、排気燃料添加弁８８により燃料添加制御を実行する場合に、燃料におけるバイオ燃料の濃度が高濃度である場合には、排出ガスにおけるすすの発生量が増加するという問題がある。これは、バイオ燃料は、軽油に比べて高沸点成分を多く含んでおり、気化しにくいことや、軽油に比べて動粘度が高く、微粒化しにくいことなどによると考えられる。
【００２２】
本実施形態では、バイオ燃料の濃度が予め定められた所定濃度以上である場合には、排気燃料添加弁８８による燃料の噴射が休止され、燃料添加制御のための燃料の噴射が、筒内に燃料を噴射する燃料噴射装置（図１の符号８０参照）により行われる。これにより、バイオ燃料濃度の高い燃料が用いられた場合であっても、燃料添加制御によるすす等の粒子状物質の発生を抑制することができる。
【００２３】
また、排気燃料添加弁８８による燃料の噴射が休止される期間が予め定められた所定期間を超える場合には、燃料噴射装置８０に代えて、排気燃料添加弁８８により燃料添加制御のための燃料の噴射が行われる。これは、排気燃料添加弁８８による燃料の噴射を休止する期間が長くなると、排気燃料添加弁８８が高温となり、噴孔詰まりが発生する虞があるためである。所定期間が経過するごとに排気燃料添加弁８８が燃料を噴射し、噴射される燃料の気化熱により排気燃料添加弁８８が冷却される。これにより、排気燃料添加弁８８の温度上昇による噴孔詰まりの発生を抑制することができる。よって、本実施形態によれば、燃料添加制御を実行する場合に、バイオ燃料濃度の高い燃料が用いられた場合であっても、すす等の粒子状物質の発生を抑制可能で、かつ、排気燃料添加弁８８の噴孔詰まりの発生を抑制することができる。
【００２４】
まず、本実施形態に係るディーゼル機関及び車両システムの概略構成について、図１を用いて説明する。図１は、ディーゼル機関を含む車両システムの概略構成を示す模式図である。なお、図１において、ディーゼル機関及び車両システムについては、本発明に関連する要部のみを模式的に示している。
【００２５】
本実施形態に係るディーゼル機関は、圧縮されて高温となった燃焼室内の雰囲気に、燃料を供給することで、燃料を自然着火させる圧縮自着火式の内燃機関である。ディーゼル機関は、原動機として自動車に搭載されるものであり、自動車には、ディーゼル機関を含む車両システムを制御する制御手段として、電子制御装置（以下、ＥＣＵと記す）が設けられている。
【００２６】
図１に示すように、ディーゼル機関１０は、気筒ごとに設けられた燃料噴射装置８０が気筒に燃料を直接噴射する、いわゆる直接噴射式のディーゼル機関１０である。ディーゼル機関１０には、気筒から排出される排出ガスの運動エネルギにより吸入空気を圧縮するターボ過給機６０と、気筒から排出された排出ガスの一部を排気通路から取り入れて吸気通路に流入させる、いわゆる排出ガス再循環装置７０（以下、ＥＧＲ装置と記す）が設けられている。このように構成されたディーゼル機関１０を制御するために、車両システム１には、ディーゼル機関１０用のＥＣＵ１００が設けられている。
【００２７】
ディーゼル機関１０には、内部に気筒が形成される機関本体系の部品として、図示しないシリンダブロック、ピストン、コンロッド、クランク軸、及びシリンダヘッド２０が設けられている。シリンダブロックには、シリンダボアが形成されており、ピストンは、シリンダボアの内壁面（以下、シリンダ壁と記す）にピストンリング（図示せず）が摺接しており、シリンダボア内を往復運動する。
【００２８】
シリンダブロックには、ピストンの頂面に対向して、シリンダボアを塞ぐようにシリンダヘッド２０が結合されている。これらシリンダボア、ピストン、及びシリンダヘッド２０により囲まれた空間が「気筒」となる。なお、本実施形態に係るディーゼル機関１０の気筒配列は、直列４気筒となっている。
【００２９】
クランク軸が回転すると、ピストンが往復運動し、気筒には、空気が吸入される。さらに、気筒には、燃料噴射装置８０により燃料が供給される。供給された燃料は、気筒内の高温の雰囲気に曝されて着火する。燃料の着火・燃焼により生じるピストンの往復運動は、コンロッドを介して回転運動に変換されてクランク軸から出力される。クランク軸の近傍には、クランク軸の回転角位置（以下、クランク角と記す）を検出するクランク角センサが設けられており、検出したクランク角に係る信号をＥＣＵ１００に送出している。
【００３０】
シリンダヘッド２０には、シリンダボアの軸心を挟んで、一方の側には、後述する吸気通路からの吸入空気を気筒に導く吸気ポート２４が形成されており、他方の側には、気筒からの排出ガスを後述する排気通路に排出する排気ポート２６が形成されている。
【００３１】
シリンダヘッド２０には、吸気ポート２４及び排気ポート２６の気筒側の開口に対応して、図示しない吸気弁及び排気弁が設けられている。これら吸気弁及び排気弁は、図示しないカムシャフトからの機械的動力を受けて駆動される。吸気弁及び排気弁は、クランク角に応じて所定のタイミングで開閉可能に構成されている。
【００３２】
吸気弁が開弁すると、吸気ポート２４と気筒内が連通し、ディーゼル機関１０は、後述する吸気通路の空気を、吸気ポート２４から気筒内に吸入することが可能となっている。また、排気弁が開弁すると、排気ポート２６と気筒内が連通し、ディーゼル機関１０は、気筒内にある排出ガスを、排気ポート２６から後述する排気通路に排出することが可能となっている。
【００３３】
また、ディーゼル機関１０には、外気から気筒に空気を導く吸気系の部品として、外気から空気を導入する外気ダクト４１と、吸入した空気（以下、吸入空気と記す）から塵芥を除去するエアクリーナ４２と、吸入空気の流量を計測するエアフロメータ（図示せず）と、ターボ過給機６０により圧縮された空気を冷却するインタークーラ４５と、吸入空気の流量を調整するスロットル弁４６と、吸入空気を各気筒に分配する分配管である吸気マニホールド４８が設けられている。なお、以下の説明において、吸入空気の流動方向の上流側を、単に「上流側」と記し、流動方向の下流側を、単に「下流側」と記す。
【００３４】
吸気マニホールド４８は、その下流側がシリンダヘッド２０に接続されており、ブランチ通路４９が吸気ポート２４に連通している。ブランチ通路４９より上流側には、これに連通するサージ室４０ａが形成されている。
【００３５】
一方、吸気マニホールド４８のうちサージ室４０ａの上流側には、スロットル弁４６が設けられている。スロットル弁４６は、気筒に吸入される吸入空気の流量（以下、吸入空気量と記す）を調整する。スロットル弁４６の開度は、ＥＣＵ１００により制御される。
【００３６】
また、スロットル弁４６の上流側には、吸気配管４７が接続されている。吸気配管４７内に形成された通路４０ｃは、吸気マニホールド４８内のサージ室４０ａに連通している。吸気配管４７の上流側には、インタークーラ４５が接続されている。インタークーラ４５は、熱交換器として構成されており、後述するターボ過給機６０のコンプレッサ６２により圧縮されて高温となった吸入空気を冷却する。
【００３７】
インタークーラ４５の上流側には、吸気配管４４が接続されている。吸気配管４４内に形成された通路４０ｅは、インタークーラ４５内の通路（図示せず）を介して、吸気配管４７内の通路４０ｃに連通している。吸気配管４４の上流側には、ターボ過給機６０のコンプレッサ６２が接続されている。吸気配管４４内の通路４０ｅは、ターボ過給機６０のコンプレッサ６２内に連通している。
【００３８】
ターボ過給機６０のコンプレッサ６２の上流側には、吸気配管４３が接続されている。吸気配管４３内に形成された通路４０ｇは、ターボ過給機６０のコンプレッサ６２内に連通している。吸気配管４３の上流側には、エアクリーナ４２が接続されており、エアクリーナ４２の上流側には、外気ダクト４１が設けられている。吸気配管４３内の通路４０ｇは、エアクリーナ４２を介して外気ダクト４１内に連通している。
【００３９】
エアクリーナ４２のエレメントより下流側には、図示しないエアフロメータが設けられている。エアフロメータは、外気ダクト４１から導入された吸入空気量を検出する。エアフロメータは、検出した吸入空気量に係る信号を、ＥＣＵ１００に送出している。
【００４０】
外気ダクト４１から導入された新気は、エアクリーナ４２を通過し、エアフロメータで流量が検出されて、ターボ過給機６０のコンプレッサ６２で圧縮される。圧縮されて高温となった吸入空気（新気）は、インタークーラ４５で冷却されて、スロットル弁４６に流れる。スロットル弁４６で流量が調整された吸入空気は、吸気マニホールド４８のサージ室４０ａに流入し、ブランチ通路４９から各気筒に分配され、吸気ポート２４を経て気筒に流入する。
【００４１】
なお、「吸気通路」とは、前述の吸気系の部品と、吸気配管により形成され、外気ダクト４１から導入された吸入空気が気筒に流入するまでに通過する流路を意味している。本実施形態において、吸気通路には、吸気マニホールド４８内のサージ室４０ａだけでなく、シリンダヘッド２０の吸気ポート２４が含まれている。
【００４２】
また、ディーゼル機関１０には、気筒からの排出ガスを外気に排出する排気系の部品として、各気筒からの排出ガスを合流させてターボ過給機６０に導く排気マニホールド５２と、排出ガス中の窒素酸化物、及び粒子状物質（以下、単に「ＰＭ」と記す）を処理する排気浄化触媒（排気浄化装置）５５と、排気浄化触媒５５からの排出ガスを酸化反応により浄化する酸化触媒５８と、酸化触媒５８と排気浄化触媒５５との間にある通路５０ｇにおける排出ガスの酸素濃度を検出するＡ／Ｆセンサ９８が設けられている。なお、以下の説明において、排出ガスの流動方向の上流側を、単に「上流側」と記し、流動方向の下流側を、単に「下流側」と記す。
【００４３】
排気マニホールド５２内には、マニホールド通路５０ａが形成されており、マニホールド通路５０ａのうち上流側には、各気筒に対応してブランチ部５１が設けられている。排気マニホールド５２内に形成されたブランチ部５１は、各気筒の排気ポート２６に連通している。また、マニホールド通路５０ａのうち下流側には、各気筒からの排出ガスが合流する合流部５０ｃが設けられている。排気マニホールド５２に形成されたマニホールド通路５０ａは、ディーゼル機関１０が有する複数の気筒から吸気ポート２６を経て排出された排出ガスを、合流部５０ｃで合流させて後述するターボ過給機６０のタービン６４に導く。
【００４４】
ターボ過給機６０は、吸気配管４３と吸気配管４４との間に介在して設けられたコンプレッサ６２と、排気マニホールド５２と排気管５４との間に介在して設けられたタービン６４とを有している。コンプレッサ６２のハウジング内には、回転することで空気を圧縮するコンプレッサホイール（図示せず）が収容されており、タービン６４のハウジング内には、排出ガスの流れにより回転駆動されるタービンホイール（図示せず）が収容されている。コンプレッサホイールとタービンホイールは一体に結合されている。
【００４５】
ターボ過給機６０は、マニホールド通路５０ａの合流部５０ｃからタービン６４内に流入する排出ガス流の運動エネルギによりタービンホイール及びコンプレッサホイールが回転駆動され、コンプレッサ６２内にある空気を圧縮してインタークーラ４５に給送する。タービン６４内の排出ガスは、排気管５４内の通路５０ｅを下流側に流れ、排気浄化触媒５５に流入する。
【００４６】
排気浄化触媒５５の前段（上流側）には、排出ガス中の窒素酸化物を吸蔵し、窒素に還元する排気浄化触媒であるＮＯｘ吸蔵還元型触媒５５ａが設けられている。一方、後段（下流側）には、フィルタ機構付き排気浄化触媒であり、ＰＭと窒素酸化物を同時に浄化するＤＰＮＲ触媒システム５５ｃが設けられている。ＮＯｘ吸蔵還元型触媒５５ａ及びＤＰＮＲ触媒システム５５ｃは、還元剤の供給を必要とする排気浄化触媒であり、以下に詳細を説明する。
【００４７】
ＮＯｘ吸蔵還元型触媒５５ａは、これを流れる排出ガスが、酸素を多く含む酸素過剰雰囲気（リーン雰囲気）となっている場合、排出ガス中の窒素酸化物を硝酸塩の形で吸蔵する。一方、ＮＯｘ吸蔵還元型触媒５５ａを流れる排出ガスが、未燃の炭化水素（以下、単に「ＨＣ」と記す）を多く含む還元雰囲気（リッチ雰囲気）となっている場合には、排出ガス中に含まれる還元剤としてのＨＣにより、吸蔵された窒素酸化物を窒素に還元する。このようにして、ＮＯｘ吸蔵還元型触媒５５ａは、排出ガス中の窒素酸化物を浄化することが可能となっている。
【００４８】
一方、ＤＰＮＲ触媒システム５５ｃは、ＰＭを捕集し、捕集したＰＭを燃焼させて二酸化炭素として放出することでフィルタを再生するディーゼル・パティキュレート・フィルタ（以下、ＤＰＦと記す）の機能と、上述のＮＯｘ吸蔵還元型触媒の機能を組み合わせたものであり、ＰＭと窒素酸化物とを同時に浄化することが可能となっている。
【００４９】
詳細には、ＤＰＮＲ触媒システム５５ｃは、これを流れる排出ガス中のＰＭをフィルタに捕集すると共に、排出ガスが酸素過剰雰囲気となっている場合、窒素酸化物を硝酸塩に変化させて吸蔵し、このとき生じた活性酸素と、排出ガス中の酸素により、捕集したＰＭを酸化する。一方、ＤＰＮＲ触媒システム５５ｃを流れる排出ガスが、還元雰囲気（リッチ雰囲気）となっている場合には、排出ガス中に含まれる還元剤としてのＨＣにより、吸蔵された窒素酸化物を窒素に還元する共に、このとき生じた活性酸素によりＰＭを酸化する。このようにして、ＤＰＮＲ触媒システム５５ｃは、連続してＰＭを酸化・燃焼させて、ＰＭが捕集されたフィルタを再生することが可能となっている。
【００５０】
このように、ＮＯｘ吸蔵還元型触媒５５ａ及びＤＰＮＲ触媒システム５５ｃなど、排気浄化触媒５５は、排出ガス中の有害成分を浄化するにあたって、還元剤の供給を必要とするものであり、還元剤として十分に気化した未燃の炭化水素（ＨＣ）を含んだ還元雰囲気が形成されることを必要としている。
【００５１】
以上に説明した排気浄化触媒５５の下流側には、排気管５６を介して酸化触媒５８が設けられている。酸化触媒５８は、排気浄化触媒５５を通過した排出ガスに含まれている炭化水素や一酸化炭素を、酸化して浄化する。酸化触媒で浄化された排出ガスは、外気に放出されることとなる。
【００５２】
なお、「排気通路」とは、気筒から排出された排出ガスが、排気浄化触媒５５に流入するまでに通過する流路を意味している。本実施形態において、排気通路には、排気マニホールド５２内に形成されたマニホールド通路５０ａ（ブランチ部５１，合流部５０ｃ）に加えて、シリンダヘッド２０の排気ポート２６、タービン６４内の流路、排気管５４に形成された通路５０ｅ、及び排気浄化触媒５５内の通路が含まれている。
【００５３】
また、ディーゼル機関１０には、気筒から排出された排出ガスの一部を、排気通路から取り入れて吸気通路に流す、いわゆる排出ガス再循環装置７０（以下、ＥＧＲ装置と記す）が設けられている。ＥＧＲ装置７０は、排気通路と吸気通路を連通させるＥＧＲ通路と、ＥＧＲ通路を流れる排出ガス（以下、ＥＧＲガスと記す）の流量を調整するＥＧＲ弁７７と、ＥＧＲガスを冷却するＥＧＲクーラ７４とを有しており、以下に詳細を説明する。
【００５４】
上述した排気マニホールド５２には、ＥＧＲガスの取入口７１が設けられており、取入口７１には、ＥＧＲ配管７２が接続されている。ＥＧＲ配管７２のうち、ＥＧＲガスの流動方向の下流側（以下、単に「下流側」と記す）には、ＥＧＲクーラ７４が接続されている。ＥＧＲクーラ７４は、熱交換器で構成されており、流入したＥＧＲガスを冷却することが可能となっている。ＥＧＲクーラ７４の下流側には、ＥＧＲ配管７６が接続されている。
【００５５】
ＥＧＲ配管７６の下流側の端には、ＥＧＲ弁７７が配設されている。ＥＧＲ弁７７は、電磁式のバルブで構成されている。ＥＧＲ弁７７の下流側には、ＥＧＲ配管７８が接続されている。ＥＧＲ配管７８は、吸気マニホールド４８に設けられたＥＧＲガスの流出口７９と、ＥＧＲ弁７７とを接続している。ＥＧＲ弁７７の開度、すなわちＥＧＲ通路を流れるＥＧＲガスの流量は、ＥＣＵ１００により制御される。
【００５６】
なお、「ＥＧＲ通路」とは、ＥＧＲ配管７２，７６，７８と、ＥＧＲクーラ７４及びＥＧＲ弁７７により形成され、取入口７１から導入された排出ガスすなわち不活性ガスが、流出口７９に至るまでに通過する流路を意味している。本実施形態において、ＥＧＲ通路には、ＥＧＲ配管７２，７６，７８内の通路だけでなく、ＥＧＲクーラ７４及びＥＧＲ弁７７内に形成された通路を含んでいる。
【００５７】
また、ディーゼル機関１０には、気筒に燃料を供給する燃料供給系の部品として、気筒ごとに設けられ、気筒内に直接燃料を噴射する燃料噴射装置８０と、各燃料噴射装置８０に燃料を分配する燃料レール８２と、燃料レール８２に燃料を圧送する高圧燃料ポンプ８４が設けられている。高圧燃料ポンプ８４から燃料レール８２に圧送された燃料は、燃料レール８２で分配されて各燃料噴射装置８０に供給される。
【００５８】
高圧燃料ポンプ８４は、ディーゼル機関１０のカムシャフト（図示せず）からの機械的動力を受けて作動し、燃料タンク１２０からの燃料を吸入して昇圧する。高圧燃料ポンプ８４は、昇圧して高圧となった燃料を、燃料配管８３から燃料レール８２に供給する。高圧燃料ポンプ８４の作動は、ＥＣＵ１００により制御される。
【００５９】
燃料レール８２は、内部に燃料を所定の燃圧で蓄圧可能に構成されている。燃料レール８２は、各燃料噴射装置８０に燃料を分配して供給する。燃料レール８２には、高圧燃料ポンプ８４から高圧（例えば、１８０ＭＰａ）の燃料が供給されている。
【００６０】
各燃料噴射装置８０は、共通の燃料レール８２から所定の燃圧で燃料の供給を受けている。燃料噴射装置８０は、ピエゾ駆動式の燃料噴射弁で構成されており、１サイクル中に複数回の燃料噴射を行う、いわゆる多段噴射を行うことが可能なものとなっている。各サイクルにおける燃料噴射装置８０の噴射期間、すなわち噴射時期及び噴射時間長さ（開弁時間）は、図示しないドライバユニットを介して、ＥＣＵ１００により制御される。
【００６１】
燃料噴射装置８０からの噴射燃料は、後述する排気燃料添加弁８８に比べて高い燃圧で噴射されており、排気燃料添加弁８８から噴射（添加）された燃料に比べて微粒化されている。加えて、燃料噴射装置８０からの噴射燃料は、気筒内に形成された高温の雰囲気に噴射されて大部分が燃焼するため、気筒から排出される排出ガスに含まれているＨＣは、十分に気化している。つまり、燃料噴射装置８０からの燃料は、十分に気化した状態で排気浄化触媒５５に流入することができる。
【００６２】
また、ディーゼル機関１０には、気筒内に燃料を供給する燃料噴射装置８０とは別に、排気通路に燃料を添加する排気燃料添加弁８８が設けられている。排気燃料添加弁８８は、電磁駆動式の燃料噴射弁で構成されており、高圧燃料ポンプ８４から燃料配管８６を介して、所定の燃圧（例えば、１ＭＰａ）で燃料の供給を受けている。
【００６３】
排気燃料添加弁８８は、ディーゼル機関１０に複数ある気筒のうち、排気ポート２６からタービン６４までの排気経路が最も短い気筒の排気ポート２６近傍に設けられている。排気燃料添加弁８８は、排気ポート２６内に露出している噴孔から合流部５０ｃに向けて燃料を噴射することで、排気通路を流れる気筒からの排出ガスに燃料を添加することが可能となっている。
【００６４】
このように、排気通路に燃料を噴射する排気燃料添加弁８８は、気筒内に燃料を噴射する燃料噴射装置８０に比べて低い燃圧で燃料を噴射することとなる。すなわち、排気燃料添加弁８８から排気通路に噴射（添加）された燃料は、燃料噴射装置８０に比べて低い燃圧で噴射されているため、燃料噴射装置８０から噴射された燃料に比べてあまり微粒化されていない。加えて、排気燃料添加弁８８からの燃料は、気筒内に比べて低温な排気通路に添加されるため、燃料噴射装置８０からの燃料に比べれば、十分に気化することが困難である。つまり、排気燃料添加弁８８からの燃料は、排出ガスの温度によっては、十分に気化していない状態で、排気浄化触媒５５に流入する場合がある。
【００６５】
以上に説明したディーゼル機関１０を含む車両システム１には、給油された燃料を貯蔵する燃料タンク１２０内に、低圧燃料ポンプ１２２が設けられており、上述の高圧燃料ポンプ８４に向けて燃料を圧送している。低圧燃料ポンプ１２２からの燃料は、燃料フィルタ１２４で不純物を濾過されて、高圧燃料ポンプ８４に供給される。
【００６６】
また、車両システム１には、運転者によるアクセルペダルの操作量を検出するアクセルペダルポジションセンサ１０２が設けられている。アクセルペダルポジションセンサ１０２は、検出したアクセルペダルの操作量（以下、アクセル操作量と記す）に係る信号を、ＥＣＵ１００に送出している。
【００６７】
以上のように構成された車両システム１において、ＥＣＵ１００は、クランク角センサからのクランク角に係る信号と、エアフロメータからの吸入空気量（新気量）に係る信号と、アクセルペダルポジションセンサ１０２からのアクセル操作量に係る信号と、Ａ／Ｆセンサ９８から、排気浄化触媒５５を通過後（酸化触媒５８流入前）の排出ガス中の酸素濃度に係る信号を検出している。
【００６８】
これら信号に基づいて、ＥＣＵ１００は、各種制御変数を算出している。制御変数には、クランク軸の回転角位置（以下、クランク角と記す）、クランク軸の回転速度（以下、機関回転速度と記す）、ディーゼル機関１０がクランク軸から出力している機械的動力（以下、機関負荷と記す）、アクセル操作量、吸入空気量、及び排気浄化触媒５５を通過後であり、且つ酸化触媒５８流入前の排出ガス中に含まれる酸素濃度などがある。
【００６９】
ＥＣＵ１００は、これら制御変数から把握されるディーゼル機関１０の運転状態に基づいて、燃料噴射装置８０の燃料噴射量、スロットル弁４６の開度、及びＥＧＲ弁７７の開度を決定し、それぞれ制御することが可能となっている。
【００７０】
ディーゼル機関１０において、ＥＣＵ１００は、出力発生を主目的として圧縮上死点近傍において行われ、気筒内で燃料を拡散燃焼させる燃料噴射（以下、メイン噴射と記す）を、燃料噴射装置８０に行わせることが可能となっている。
【００７１】
また、ＥＣＵ１００は、スモークやすす等のＰＭや燃焼騒音の低減を主目的として、メイン噴射に対して進角した時期（例えば、圧縮上死点前７０°ＣＡ）に行われ、気筒内で燃料を予混合燃焼させる燃料噴射（以下、パイロット噴射と記す）を、燃料噴射装置８０に行わせることが可能となっている。
【００７２】
また、ＥＣＵ１００は、メイン噴射により発生したＰＭを減少させることを主目的として、メイン噴射に対して遅角した時期、詳細には、メイン噴射後の近接した時期（例えば、メイン噴射終了後から０．７ｍｓｅｃ後）に行われ、メイン噴射により生じた拡散燃焼（後期）を活発化させる燃料噴射（以下、アフタ噴射と記す）を、燃料噴射装置８０に行わせることが可能となっている。
【００７３】
また、ＥＣＵ１００は、排出ガスの昇温や、排気浄化触媒への還元雰囲気の供給を主目的として、メイン噴射に対して大きく遅角した時期（例えば、圧縮上死点後４０°ＣＡ）に行われ、気筒からの排出ガス中に含まれるＨＣを増大させる燃料噴射（以下、ポスト噴射と記す）を、燃料噴射装置８０に行わせることが可能となっている。
【００７４】
また、ＥＣＵ１００は、燃料噴射装置８０を制御して、パイロット噴射及びメイン噴射を行わせることで、吸入空気量に対して理論空燃比分の燃料量を、気筒内に供給して燃焼させることができる。気筒内における理論空燃比での燃焼を、以下、「ストイキ燃焼」と記し、気筒内においてストイキ燃焼を行うために、ＥＣＵ１００が実行する燃料噴射装置８０の制御を「ストイキ燃焼制御」と記す。ストイキ燃焼を行うことで、気筒内に流入した空気中の酸素は、ほぼ全てが燃料との酸化反応に用いられることとなり、気筒内の既燃ガスに酸素をほとんど含まない状態を作り出すことが可能となっている。
【００７５】
さらに、ＥＣＵ１００は、上述のストイキ燃焼を行わせた後、メイン噴射に対して遅角した時期（クランク角）において、燃料噴射装置８０にポスト噴射を行わせて、酸素をほとんど含まない既燃ガスに燃料を供給することで、気筒からの排出ガス中に、還元剤としての未燃の炭化水素（ＨＣ）を含ませて、十分に気化された状態で排気浄化触媒に供給することが可能となっている。
【００７６】
このようにして、ＥＣＵ１００は、メイン噴射と、メイン噴射に対して進角した時期において行われる燃料噴射、例えばパイロット噴射を燃料噴射装置８０に行わせることで、気筒内に理論空燃比分の燃料を供給して、ディーゼル機関１０にストイキ燃焼を行わせて、気筒内に酸素をほとんど含まない状態を作り出すことが可能となっている。
【００７７】
さらに、ＥＣＵ１００は、メイン噴射に対して遅角した時期において行われる燃料噴射、例えばポスト噴射を燃料噴射装置８０に行わせることで、気筒内の酸素をほとんど含まない燃焼ガスに燃料を供給して、還元剤としてのＨＣを、十分に気化させた状態で排気浄化触媒に供給することが可能となっている。このように、ディーゼル機関１０においては、ＥＣＵ１００が燃料噴射装置８０を制御することで、排気浄化触媒５５において、瞬間的に、極短時間（例えば、約２００ｍｓｅｃ位の時間長さ）の還元雰囲気を形成することが可能となっている。
【００７８】
また、ＥＣＵ１００は、排気燃料添加弁８８を制御して、排気通路に燃料を添加（噴射）することで、気筒からの排出ガス中に燃料を供給し、還元剤としてのＨＣを、気化させた状態で排気浄化触媒に供給することが可能となっている。このように、ディーゼル機関１０においては、ＥＣＵ１００が排気燃料添加弁８８を制御することで、燃料噴射装置８０と同様に、排気浄化触媒において、瞬間的に還元雰囲気を形成することが可能となっている。
【００７９】
このように、ＥＣＵ１００は、燃料噴射装置８０及び排気燃料添加弁８８を制御することで、燃料噴射装置８０からの燃料、又は排気燃料添加弁８８からの燃料により、還元剤の供給を必要とする排気浄化触媒５５（ＮＯｘ吸蔵還元型触媒５５ａ及びＤＰＮＲ触媒システム５５ｃ）において、瞬間的に還元雰囲気を形成することが可能となっている。このような還元雰囲気が与えられることで、排気浄化触媒５５に吸蔵された窒素酸化物を窒素に還元することができる。このように、排気浄化触媒５５において還元雰囲気を形成するために、ＥＣＵ１００が実行する、燃料噴射装置８０及び排気燃料添加弁８８の制御を、以下の説明において「リッチスパイク制御」と記す。
【００８０】
ところで、燃料タンク１２０には、鉱物資源である原油を分留して作られたディーゼル燃料（以下、軽油と記す）だけでなく、生物由来の有機性資源（例えば、植物油）を原料として作られたディーゼル燃料（以下、バイオ燃料と記す）が、所定の濃度で混合されて給油されることがある。なお、「バイオ燃料」は、菜種油やパーム油等の植物油を、メタノール等と反応させてエステル化した脂肪酸メチルエステル（ＦＡＭＥ）等で構成されている。
【００８１】
バイオ燃料は、軽油に比べて高沸点成分を多く含んでおり、気化しにくいという特徴を有している。また、バイオ燃料は、軽油に比べて動粘度が高いため、排気燃料添加弁８８から噴射された燃料が微粒化しにくい。また、バイオ燃料は、軽油とは異なり、燃料を構成する分子中に酸素（含酸素化合物）を含んでいるため、この酸素により燃料の燃焼が促進され、すす等の粒子状物質（ＰＭ）の排出量が減少するという特徴がある。
【００８２】
このため、気筒内に直接、燃料を噴射可能な燃料噴射装置８０に加え、排気通路のうち排気浄化触媒５５より上流側から燃料を添加可能な排気燃料添加弁８８を備えたディーゼル機関１０においては、軽油とバイオ燃料が混合された燃料（混合燃料）が用いられた場合、気筒から排出される排出ガス中に含まれる「すす」の量や、排気燃料添加弁８８により燃料添加を行った場合において排気浄化触媒５５を通過した後の排出ガスに含まれる「すす」の量は、バイオ燃料の濃度（以下、バイオ燃料濃度Ｃｂｉｏと記す）に応じて変化することとなる。以下に、図２を用いて説明する。
【００８３】
図２は、燃料として軽油のみが用いられた場合（０％）を基準とする、バイオ燃料濃度Ｃｂｉｏの変化による「すす」の増減率を示す図である。図２において、「●」は、気筒から排出された排出ガス、すなわち排気浄化触媒に流入する前の排出ガス中に含まれる「すす」の増減率を示しており、「◇」は、排気燃料添加弁８８により燃料添加を行った場合における、排気浄化触媒５５を通過した後の排出ガスに含まれる「すす」の増減率を示している。なお、図２において、バイオ燃料には、菜種油をメタノールと反応させてエステル化した菜種油メチルエステルと所定の性状の軽油との混合燃料が用いられており、混合燃料中における菜種油メチルエステルの濃度を、図にバイオ燃料濃度Ｃｂｉｏと記している。
【００８４】
図２において、バイオ燃料濃度Ｃｂｉｏがゼロである、すなわち燃料として所定の軽油のみが用いられた場合における、すすの量を０％で示している。バイオ燃料濃度Ｃｂｉｏが、ゼロから３０％に増大すると、バイオ燃料濃度Ｃｂｉｏが高くなるに従って、排気浄化触媒５５に流入する前、排気浄化触媒５５を通過した後の双方ともに、排出ガス中のすす量が減少する。これは、バイオ燃料濃度Ｃｂｉｏが高くなるに従って、燃料が微粒化及び気化しにくくなるものの、燃料中の含酸素化合物の濃度が高くなることで燃料の燃焼（酸化）が促進されて、排出ガス中に含まれるすすの量が減少するためと考えられる。特に、バイオ燃料濃度Ｃｂｉｏが３０％の場合、排気燃料添加弁８８により燃料添加を行った場合における、排気浄化触媒５５通過後の排出ガス中に含まれるすすの量は、燃料として軽油のみを用いた場合（０％）に比べて、マイナス４０％と大きく減少している。
【００８５】
そして、バイオ燃料濃度Ｃｂｉｏが３０％から１００％に増大すると、排気燃料添加弁８８により燃料添加を行った場合における、排気浄化触媒５５通過後の排出ガス中に含まれるすすの量は、燃料として軽油のみを用いた場合（０％）に比べて大きく増大して、増減率は１７０％となる。これは、バイオ燃料濃度Ｃｂｉｏが３０％から高くなるに従って、燃料中の含酸素成分の濃度が高くなることによる燃焼促進効果を、排気燃料添加弁８８からの燃料の微粒化及び気化が悪化する影響が上回ることとなり、排出ガス中に含まれるすすの量が増大するためと考えられる。
【００８６】
これに対して、気筒から排出され、排気浄化触媒流入前の排出ガス中に含まれる「すす」の量、すなわち排気燃料添加弁８８による燃料添加の影響を受けていない排出ガス中のすすの量は、バイオ燃料濃度Ｃｂｉｏが３０％から１００％に増大しても、さらに減少しており、バイオ燃料濃度Ｃｂｉｏが１００％の場合においても、燃料として軽油のみを用いた場合（０％）に比べて、増減率は−６０％と減少している。これは、バイオ燃料濃度Ｃｂｉｏの増大により、燃料としては微粒化及び気化がしにくくても、燃料噴射装置８０からの燃料は、気筒内に形成された高温の雰囲気に噴射されて大部分が燃焼して気筒から排出されるため、気筒からの排出ガスに含まれているＨＣは十分に気化すると共に、燃料中の酸素（含酸素化合物）により燃焼が促進されるため、気筒からの排出ガス中に含まれるすすの量が減少するものと考えられる。
【００８７】
以上のように、排気燃料添加弁８８による燃料添加を行うと、バイオ燃料濃度Ｃｂｉｏが所定値より高い場合には排気浄化触媒５５通過後の排出ガス中に含まれるすすの量が増大してしまうという問題が生じる。また、気筒から排出され、排気浄化触媒５５に流入する前の（排気燃料添加弁８８からの添加燃料の影響を受けない）排出ガスに含まれるすすの量は、バイオ燃料濃度Ｃｂｉｏが増大するに従って減少する傾向があるため、バイオ燃料濃度Ｃｂｉｏが高い場合には、この傾向に応じて燃料噴射装置８０及び排気燃料添加弁８８を制御することで、すすの発生量を抑制したいという要望もある。
【００８８】
そこで、推定されたバイオ燃料濃度Ｃｂｉｏが予め定められた所定濃度を上回る場合には、排気燃料添加弁８８からの燃料添加を休止（停止）して、燃料噴射装置８０からの燃料により、排気浄化触媒５５に還元雰囲気を形成することが検討されている。これにより、排気浄化触媒５５において還元雰囲気を形成しつつ、排出ガス中に生成するすすの量を抑制することができる。この場合に、排気燃料添加弁８８からの燃料添加を休止することにより、すすの発生が抑制されるものの、以下に説明するように、燃料添加の休止期間によっては排気燃料添加弁８８の噴孔詰まりを起こす場合がある。
【００８９】
排気燃料添加弁８８は、高温の排出ガスにさらされるため、排気燃料添加弁８８による燃料添加を休止する期間が長くなると、排気燃料添加弁８８の先端部に残留している燃料が蒸し焼き状態となり、すすを生成して噴孔詰まりを起こす可能性がある。このため、本実施形態では、燃料添加制御のための燃料の噴射を燃料噴射装置８０による燃料の噴射と排気燃料添加弁８８による燃料の噴射とに分けて行うことで排気燃料添加弁８８の温度上昇を抑制する。
【００９０】
より具体的には、排気浄化触媒５５に還元雰囲気を形成する際に、燃料添加制御のための燃料の噴射を主として燃料噴射装置８０に行わせ、排気燃料添加弁８８の燃料添加を休止する期間が予め定められた所定期間を超える場合には、燃料噴射装置８０からの燃料に代えて排気燃料添加弁８８からの燃料により排出ガスへの燃料添加を行う。燃料添加制御のための燃料の噴射を主として燃料噴射装置８０に行わせることにより、すすの発生を十分に抑制することができる。これに加えて、上記所定期間が経過するごとに排気燃料添加弁８８による燃料の噴射を行うことにより、排気燃料添加弁８８を冷却して温度上昇を抑制し、排気燃料添加弁８８の噴孔詰まりの発生を抑制することができる。
【００９１】
以下に、図１〜図６を用いて本実施形態の動作について説明する。図３は、ＥＣＵ１００が実行する排気浄化触媒５５に還元雰囲気を形成するための燃料添加制御（リッチスパイク制御）のフローチャートである。図４は、リッチスパイク制御における燃料の噴射パターンを説明する図である。図５は、バイオ燃料濃度Ｃｂｉｏが高濃度である場合のリッチスパイク制御における燃料噴射装置及び排気燃料添加弁の燃料の噴射制御について説明するための図である。図６は、ディーゼル機関の運転領域におけるストイキ燃焼可能領域を示す図である。
【００９２】
図１に示すように、本実施形態に係るディーゼル機関１０において、燃料タンク１２０からの燃料を高圧燃料ポンプ８４に送る燃料配管１２６の途中には、ディーゼル機関１０に供給される燃料のバイオ燃料濃度Ｃｂｉｏを検出又は推定するバイオ燃料濃度センサ（検出推定手段）１２８が設けられている。
【００９３】
バイオ燃料濃度センサ１２８は、光学式のセンサであり、燃料における特定の波長帯の光の吸収率を計測する。赤外線に近い特定の波長帯の光の吸収率と、酸素を含んだ炭化水素（脂肪酸）の濃度との間には、相関関係があることが知られており、これを利用して、計測された光の吸収率からバイオ燃料濃度Ｃｂｉｏを推定することが可能となっている。バイオ燃料濃度センサ１２８は、検出したバイオ燃料濃度Ｃｂｉｏに係る信号をＥＣＵ１００に送出している。なお、バイオ燃料濃度センサ１２８は、燃料タンク１２０内に設けられるものとしても良い。
【００９４】
ＥＣＵ１００は、バイオ燃料濃度センサ１２８からのバイオ燃料濃度Ｃｂｉｏに係る信号を検出し、この信号に基づいてバイオ燃料濃度Ｃｂｉｏを推定して、制御変数として取得する。つまり、ＥＣＵ１００は、ディーゼル機関１０に供給される燃料中のバイオ燃料濃度Ｃｂｉｏを推定する機能を有している。
【００９５】
なお、バイオ燃料濃度Ｃｂｉｏを推定する手法は、上述のように、バイオ燃料濃度センサ１２８が、ディーゼル機関１０に供給される燃料から、直接、バイオ燃料濃度Ｃｂｉｏに係る燃料性状情報を検出して、ＥＣＵ１００がバイオ燃料濃度Ｃｂｉｏを推定する手法に限定されるものではない。例えば、ディーゼル機関１０の所定の運転状態において、燃料として軽油のみが用いられた場合と同様に、燃料噴射装置８０等の燃料供給系部品を作動させ、このとき、Ａ／Ｆセンサ９８から検出された排気通路における排出ガス中の酸素濃度、すなわち排気通路における空燃比の挙動（時間変化）を、ＥＣＵ１００が把握すると共に、予め適合実験等により求められた、燃料として軽油のみが用いられた場合における空燃比の挙動と比較することで、バイオ燃料濃度Ｃｂｉｏを推定することができる。
【００９６】
以上のように構成された車両システム１において、ＥＣＵ１００は、還元剤の供給を必要とする排気浄化触媒５５において、瞬間的に還元雰囲気を形成するため、以下の「リッチスパイク制御」を実行する。リッチスパイク制御は、ディーゼル機関１０の作動時において、ＥＣＵ１００により繰り返し実行されるものである。以下に、図３を参照してリッチスパイク制御について説明する。
【００９７】
まず、ステップＳ１０では、ＥＣＵ１００により、エンジン回転数（機関回転速度）、アクセル開度（機関負荷）、バイオ燃料濃度Ｃｂｉｏ、クランク角、吸入空気量等の各種パラメータを制御変数として取得する。これら制御変数を取得することで、ＥＣＵ１００は、ディーゼル機関１０の運転状態を把握している。
【００９８】
なお、ＥＣＵ１００は、ストイキ燃焼を行わない通常時において、気筒内の空燃比を酸素過剰状態（例えば、空燃比３０〜６０）に設定して、ディーゼル機関１０を作動させている。排気通路を流れる排出ガス中には、酸素が多く含まれており、排気浄化触媒５５には、酸素過剰雰囲気（リーン雰囲気）が形成されている。
【００９９】
次に、ステップＳ２０において、ＥＣＵ１００は、排気浄化触媒５５において窒素酸化物の還元が必要であるか否かを判定する。詳細には、ＥＣＵ１００は、ディーゼル機関１０の運転状態に応じて、気筒から排出される窒素酸化物の時間あたりの排出量を推定し、推定された窒素酸化物の排出量の時間積算値が、排気浄化触媒５５すなわちＮＯｘ吸蔵還元型触媒５５ａ及びＤＰＮＲ触媒システム５５ｃの窒素酸化物の吸蔵能力に応じて設定された閾値に達した場合に、排気浄化触媒５５において窒素酸化物の還元が必要であると判定することができる。
【０１００】
なお、ディーゼル機関１０の運転状態（機関回転速度及び機関負荷）と、窒素酸化物の排出量との関係を示すマップ、及び排気浄化触媒５５（ＮＯｘ吸蔵還元型触媒５５ａ及びＤＰＮＲ触媒システム５５ｃ）における窒素酸化物の吸蔵能力は、予め適合実験等により求められており、制御定数としてＥＣＵ１００のＲＯＭ（図示せず）に記憶されている。ステップＳ２０の判定の結果、排気浄化触媒５５において窒素酸化物の還元が必要であると判定された場合（ステップＳ２０−Ｙ）にはステップＳ３０に進み、そうでない場合（ステップＳ２０−Ｎ）には本制御フローは終了される。
【０１０１】
ステップＳ３０では、ＥＣＵ１００により、制御変数として取得されたバイオ燃料濃度Ｃｂｉｏが、予め設定された判定濃度（所定濃度）Ｃ０を上回るか否かが判定される。判定濃度Ｃ０は、これを上回るバイオ燃料濃度Ｃｂｉｏの混合燃料が用いられた場合に、排気燃料添加弁８８から燃料添加を行うと、排気浄化触媒５５通過後の排出ガス中に含まれる「すす」の量が、燃料として軽油のみが用いられた場合に比べて増大するような濃度に設定されている。判定濃度Ｃ０は、例えば、８０％に設定されている。判定濃度Ｃ０は、予め適合実験等により求められており、制御定数としてＥＣＵ１００のＲＯＭに記憶されている。ステップＳ３０の判定の結果、バイオ燃料濃度Ｃｂｉｏが、判定濃度Ｃ０を上回ると判定された場合（ステップＳ３０−Ｙ）にはステップＳ４０に進み、そうでない場合（ステップＳ４０−Ｎ）にはステップＳ１３０に進む。
【０１０２】
ステップＳ４０では、ＥＣＵ１００により、ディーゼル機関１０の運転状態に応じて、気筒内においてストイキ燃焼が可能であるか否かが判定される。具体的には、ディーゼル機関１０の機関回転速度及び機関負荷が、気筒内においてストイキ燃焼を行うことが可能な運転領域（以下、ストイキ燃焼可能領域と記す）にあるか否かが判定される。
【０１０３】
「ストイキ燃焼可能領域」とは、ディーゼル機関１０において、燃料噴射装置８０が、バイオ燃料濃度Ｃｂｉｏが上述の判定濃度Ｃ０を上回る燃料であり、且つ吸入空気量に対して理論空燃比分の燃料を気筒内に噴射しても、バイオ燃料中の含酸素成分の燃焼促進効果により、噴射燃料の燃焼が促進されて、すすが生じないような、ディーゼル機関１０の運転領域である。図６に示すように、ストイキ燃焼可能領域（図に二点鎖線Ｔで囲う領域）は、ディーゼル機関１０の運転領域（図に実線Ａで囲う領域）のうち、機関回転速度が低回転速度側の領域であり、且つ機関負荷が低負荷側の領域に設定されている。なお、ストイキ燃焼可能領域と、それ以外の領域である「ストイキ燃焼不可領域」との境界Ｔは、予め適合実験等により求められており、制御定数としてＥＣＵ１００のＲＯＭに記憶されている。
【０１０４】
ステップＳ４０の判定の結果、ストイキ燃焼が可能であると判定された場合（ステップＳ４０−Ｙ）にはステップＳ５０に進み、そうでない場合（ステップＳ４０−Ｎ）には本制御フローは終了される。
【０１０５】
ステップＳ５０では、ＥＣＵ１００により、ストイキ燃焼制御が実行される。ＥＣＵ１００は、ディーゼル機関１０においてストイキ燃焼が行われるように燃料噴射装置８０による燃料の噴射量（パイロット噴射およびメイン噴射による噴射量）を制御する。
【０１０６】
次に、ステップＳ６０では、ＥＣＵ１００により、リッチスパイク噴射マップの読み込み、および後述する排気添加休止上限回数Ｎｉの読み込みが行われる。ステップＳ６０では、ディーゼル機関１０の運転状態に応じて、リッチスパイク制御を行う際の噴射パターンが設定されると共に、リッチスパイク制御における燃料噴射装置８０および排気燃料添加弁８８の噴射タイミング（それぞれの噴射回数や噴射順序、噴射休止期間等）が設定される。
【０１０７】
以下に説明するように、本実施形態では、バイオ燃料濃度Ｃｂｉｏが、判定濃度Ｃ０を上回る場合（ステップＳ３０−Ｙ）、リッチスパイクのための燃料の噴射は主として燃料噴射装置８０により実行される。その場合に、燃料噴射装置８０によるリッチスパイクのための噴射回数が排気添加休止上限回数Ｎｉに達した場合には、その次のリッチスパイクのための燃料噴射は燃料噴射装置８０に代えて排気燃料添加弁８８により行われる。言い換えると、リッチスパイクにおいて排気燃料添加弁８８による燃料の噴射を休止した状態が予め定められた所定期間継続した場合には、リッチスパイクにおける燃料の噴射量の一部を燃料噴射装置８０に代えて排気燃料添加弁８８に噴射させる。排気燃料添加弁８８が燃料を噴射することにより、所定期間が経過するごとに燃料の気化熱で排気燃料添加弁８８が冷却される。これにより、排気燃料添加弁８８の温度が高温となりすぎて噴孔詰まりが発生することを抑制することができる。
【０１０８】
まず、リッチスパイクを行う際の噴射パターンについて図４を参照して説明する。ＥＣＵ１００は、目標値として、排気浄化触媒５５に到達すべき還元雰囲気の空燃比と、還元雰囲気が形成される時間長さ（図４の符号Ｌ参照）と、隣り合う還元雰囲気が形成される時間間隔（図４の符号Ｉ参照）と、還元雰囲気を形成する回数を設定する。つまり、排気浄化触媒５５において形成されるべき還元雰囲気の目標パターンが設定される。これと共に、ＥＣＵ１００は、ディーゼル機関１０の運転状態から現在の空燃比（以下、ベース空燃比と記す）を把握している。本実施形態では、上述したように、リッチスパイクにおけるベース空燃比は、理論空燃比に制御されている。このため、ベース空燃比がリーンとされた状態でリッチスパイクが行われる場合と比較して、リッチスパイクにより生じる出力トルクの段差を小さなものとし、ドライバビリティの低下を抑制することができる。
【０１０９】
ＥＣＵ１００は、還元雰囲気の目標パターンとベース空燃比に基づいて、図４に示すようなリッチスパイク制御における燃料の噴射パターンを設定する。設定された燃料の噴射パターンに基づいて、排気燃料添加弁８８による気筒からの排出ガスに対する燃料の噴射、または、燃料噴射装置８０による、気筒内でストイキ燃焼が行われた後の既燃ガスに対する燃料の噴射によりリッチスパイクが実行される。噴射パターンに係る情報には、図４に示すように、各噴射パルスＰの噴射時間長さＬ、隣り合う噴射パルスＰ同士の時間間隔Ｉ、及び噴射パルスＰの回数（目標回数）が含まれている。
【０１１０】
次に、排気添加休止上限回数Ｎｉについて説明する。本実施形態では、上述したように、バイオ燃料濃度Ｃｂｉｏが、判定濃度Ｃ０を上回る場合（ステップＳ３０−Ｙ）、リッチスパイクのための燃料の噴射は主として燃料噴射装置８０により実行される。その場合に、燃料噴射装置８０によるリッチスパイクのための噴射回数（後述するリッチスパイクカウンターｎ０）が排気添加休止上限回数Ｎｉに達した場合には、その次のリッチスパイクのための燃料噴射（（Ｎｉ＋１）回目の燃料噴射）は、燃料噴射装置８０に代えて排気燃料添加弁８８により行われる。
【０１１１】
排気添加休止上限回数Ｎｉは、排気燃料添加弁８８における噴孔詰まりの発生を抑制する観点から設定される。排気添加休止上限回数Ｎｉは、例えば、排出ガスの温度に基づいて設定される。これは、排出ガスの温度が高いほど、排気燃料添加弁８８の温度が高温となりやすいためである。排出ガスの温度が高温である場合には、排出ガスの温度が低温である場合に比べて、排気添加休止上限回数Ｎｉが小さな値（少ない回数）として設定される。言い換えると、排出ガスの温度が高温である場合には、排気燃料添加弁８８による燃料の噴射を休止する期間が短くされ、排気燃料添加弁８８がより短い間隔で燃料を噴射する。これにより、排出ガスの温度が高温である場合には、燃料の噴射による排気燃料添加弁８８の冷却が短い間隔で行われる。なお、排気添加休止上限回数Ｎｉは、排気燃料添加弁８８の温度に基づいて設定されてもよい。この場合、例えば、排気燃料添加弁８８の先端部の温度を検出する温度センサが設けられる。温度センサにより検出された温度が高温である場合には、低温である場合に比べて排気添加休止上限回数Ｎｉが小さな値として設定される。
【０１１２】
排出ガスの温度に応じて排気燃料添加弁８８による燃料の噴射を休止する期間が可変に設定されることにより、すすの発生量の低減と、噴孔詰まりの発生の抑制とを最大限に両立することができる。例えば、排出ガスの温度によらず排気添加休止上限回数Ｎｉを一定の値とする場合には、排出ガスが高温の場合であっても噴孔詰まりの発生を抑制できるように、排気添加休止上限回数Ｎｉを小さな値にする（排気燃料添加弁８８による燃料の噴射間隔を短くする）必要がある。しかしながら、この場合、排出ガスが低温の場合には、噴孔詰まりを抑制するために必要な頻度（量）を超えて排気燃料添加弁８８によりリッチスパイクのための燃料噴射を行うこととなり、すすの発生量が増加してしまう。本実施形態によれば、排出ガスの温度に応じて排気添加休止上限回数Ｎｉが可変に設定されるため、すすの発生量の低減と、噴孔詰まりの発生の抑制を両立することができる。
【０１１３】
ＥＣＵ１００は、予め記憶されたマップを参照して、排出ガスの温度に応じた排気添加休止上限回数Ｎｉを読み込む。排出ガスの温度は、例えば、ステップＳ１０で取得されたエンジン回転数やアクセル開度等の制御変数に基づいて算出されることができる。あるいは、排出ガスの温度に対応する値として、燃料噴射装置８０によるメイン噴射やパイロット噴射における燃料の噴射量が用いられてもよい。なお、排気添加休止上限回数Ｎｉは、予め適合実験により求められ、ＥＣＵ１００のＲＯＭに記憶されている。ステップＳ６０においてリッチスパイク噴射マップ、および排気添加休止上限回数Ｎｉが読み込まれると、ステップＳ７０に進む。
【０１１４】
ステップＳ７０では、ＥＣＵ１００により、燃料噴射装置８０によるリッチスパイクが実行される。図５は、バイオ燃料濃度Ｃｂｉｏが高濃度である場合のリッチスパイク制御における燃料噴射装置８０及び排気燃料添加弁８８の燃料の噴射制御について説明するための図である。
【０１１５】
図５において、符号２０１は、リッチスパイク実行フラグを示す。ＥＣＵ１００は、リッチスパイク制御を実行する条件が成立している場合にリッチスパイク実行フラグ２０１をＯＮとする。本実施形態では、バイオ燃料濃度Ｃｂｉｏが判定濃度Ｃ０を上回る場合（ステップＳ３０−Ｙ）には、例えば、排気浄化触媒５５において窒素酸化物の還元が必要であると判定され（ステップＳ２０−Ｙ）、かつ、ストイキ燃焼が可能であると判定されている（ステップＳ４０−Ｙ）場合に、リッチスパイク実行フラグ２０１がＯＮとされる。図５では、時刻ｔ１においてリッチスパイク実行フラグ２０１がＯＮとされてリッチスパイクが開始される。符号ｎ０は、リッチスパイクカウンターを示す。リッチスパイクカウンターｎ０は、燃料噴射装置８０によるリッチスパイクのための燃料の噴射（噴射パルスＰ）の実行回数を示している。
【０１１６】
符号２０２は、排気燃料添加実行フラグを示す。リッチスパイクカウンターｎ０が排気添加休止上限回数Ｎｉに達すると、排気燃料添加実行フラグ２０２がＯＮとされ、燃料噴射装置８０に代えて、排気燃料添加弁８８によりリッチスパイクのための燃料が噴射される。符号λは、排気浄化触媒５５へ流入する排出ガスの空気過剰率を示す。空気過剰率λが１である場合には、排気浄化触媒５５へ流入する排出ガスの空燃比（酸素濃度）が理論空燃比と同等であることを示す。
【０１１７】
燃料噴射装置８０または排気燃料添加弁８８によるリッチスパイクのための燃料の噴射が行われたときには、空気過剰率λが１よりも小さな（リッチ側の）値となる。図５において時刻ｔ１からｔ５は、それぞれリッチスパイクのための燃料の噴射が行われるタイミングを示しており、これらのタイミングにおいて空気過剰率λがリッチとなる、すなわち、排気浄化触媒５５において還元雰囲気が形成される。ステップＳ７０において、燃料噴射装置８０によるリッチスパイクのための燃料噴射が実行されると、ステップＳ８０に進む。
【０１１８】
ステップＳ８０では、ＥＣＵ１００により、リッチスパイクカウンターｎ０がカウントアップされる。
【０１１９】
次に、ステップＳ９０では、ＥＣＵ１００により、リッチスパイク制御が完了したか否かが判定される。ＥＣＵ１００は、リッチスパイクカウンターｎ０とは別に、リッチスパイク制御の開始時点からのリッチスパイクの累計回数（噴射パルスＰの実行回数）をカウントしている。この累計回数には、燃料噴射装置８０によるリッチスパイクの回数と排気燃料添加弁８８によるリッチスパイクの回数の合計がカウントされている。ＥＣＵ１００は、その累計回数がステップＳ６０で設定されたリッチスパイク制御で実行すべきリッチスパイクの回数の目標値に達したか否かに基づいてステップＳ９０の判定を行う。その判定の結果、リッチスパイク制御が完了したと判定された場合（ステップＳ９０−Ｙ）には本制御フローは終了され、そうでない場合（ステップＳ９０−Ｎ）にはステップＳ１００に進む。
【０１２０】
ステップＳ１００では、ＥＣＵ１００により、リッチスパイクカウンターｎ０が排気添加休止上限回数Ｎｉよりも大きな値であるか否かが判定される。ステップＳ１００では、排気燃料添加弁８８による燃料の噴射を休止した状態が予め定められた所定期間続いたか否か、すなわち、排気燃料添加弁８８の温度が上昇して冷却を必要とする状態となっているか否かが判定される。その判定の結果、リッチスパイクカウンターｎ０が排気添加休止上限回数Ｎｉよりも大きな値であると判定された場合（ステップＳ１００−Ｙ）にはステップＳ１１０に進み、そうでない場合（ステップＳ１００−Ｎ）にはステップＳ７０へ移行する。
【０１２１】
ステップＳ１１０では、ＥＣＵ１００により、排気燃料添加弁８８が作動される。ＥＣＵ１００は、燃料噴射装置８０による燃料の噴射に代えて、排気燃料添加弁８８による燃料の噴射によりリッチスパイクを実行する。これと共に、ＥＣＵ１００は、リッチスパイクカウンターｎ０をリセットする。排気燃料添加弁８８による燃料の噴射が行われることにより、噴射された燃料の気化熱によって排気燃料添加弁８８が冷却される。これにより、排気燃料添加弁８８の温度上昇による噴孔詰まりの発生が抑制される。
【０１２２】
次に、ステップＳ１２０では、ＥＣＵ１００により、リッチスパイク制御が完了したか否かが判定される。ＥＣＵ１００は、ステップＳ９０と同様に、リッチスパイク制御で実行されたリッチスパイクの累計回数がリッチスパイクの回数の目標値に達したか否かを判定する。その判定の結果、リッチスパイク制御が完了したと判定された場合（ステップＳ１２０−Ｙ）には本制御フローは終了され、そうでない場合（ステップＳ１２０−Ｎ）には、ステップＳ７０へ移行する。
【０１２３】
ステップＳ３０で否定判定がなされてステップＳ１３０に進んだ場合、ステップＳ１３０では、ＥＣＵ１００により、リッチスパイク噴射マップが読み込まれる。リッチスパイク噴射マップが参照されて、ディーゼル機関１０の運転状態に応じて設定される各噴射パルスＰの噴射時間長さＬ、隣り合う噴射パルスＰ同士の時間間隔Ｉ、および噴射パルスＰの回数等は、ステップＳ６０で設定される値と同様であることができる。
【０１２４】
次に、ステップＳ１４０では、ＥＣＵ１００により、リッチスパイクが実行される。バイオ燃料濃度Ｃｂｉｏが、判定濃度Ｃ０を上回らない場合（ステップＳ３０−Ｎ）には、リッチスパイクのための燃料の噴射は、全て排気燃料添加弁８８により行われる。ＥＣＵ１００は、排気燃料添加弁８８を駆動してリッチスパイクを１回実行させる。これと共に、ＥＣＵ１００は、リッチスパイクカウンターｎ０をリセットする。本実施形態では、このように、バイオ燃料濃度Ｃｂｉｏが、判定濃度Ｃ０を上回る場合以外の場合には、排気燃料添加弁８８によりリッチスパイクのための燃料噴射を行う。これにより、以下に説明するように、ディーゼル機関１０の潤滑油が希釈されることを抑制する。
【０１２５】
燃料噴射装置８０によりポスト噴射を行った場合、噴射された燃料が筒内の潤滑油に混ざり、潤滑油を希釈してしまう可能性がある。このため、潤滑油が希釈されることを抑制する観点からは、ポスト噴射の回数を低減することが望ましい。本実施形態では、バイオ燃料濃度Ｃｂｉｏが、判定濃度Ｃ０を上回る場合には、すすの発生を抑制することを優先して、主として燃料噴射装置８０による燃料の噴射でリッチスパイクを行う一方、バイオ燃料濃度Ｃｂｉｏが、判定濃度Ｃ０を上回らない場合には、排気燃料添加弁８８による燃料の噴射でリッチスパイクを行うことで、潤滑油の希釈を抑制することができる。
【０１２６】
次に、ステップＳ１５０では、ＥＣＵ１００により、リッチスパイク制御が完了したか否かが判定される。ＥＣＵ１００は、ステップＳ９０、およびステップＳ１２０と同様に、リッチスパイク制御で実行されたリッチスパイクの累計回数がリッチスパイクの回数の目標値に達したか否かを判定する。その判定の結果、リッチスパイク制御が完了したと判定された場合（ステップＳ１５０−Ｙ）には本制御フローは終了され、そうでない場合（ステップＳ１５０−Ｎ）には、ステップＳ１４０へ移行する。
【０１２７】
本実施形態によれば、バイオ燃料濃度Ｃｂｉｏが判定濃度Ｃ０を上回る場合（ステップＳ３０−Ｙ）に、燃料添加制御のための燃料の噴射を燃料噴射装置８０による燃料の噴射と排気燃料添加弁８８による燃料の噴射とに分けて行う。これにより、燃料添加制御のための燃料の噴射を全て排気燃料添加弁８８による噴射で行う場合に比べて、すす等の粒子状物質の発生を抑制することができる。また、燃料添加制御のための燃料の噴射量の一部を排気燃料添加弁８８で噴射することにより、排気燃料添加弁８８が冷却される。これにより、排気燃料添加弁８８における噴孔詰まりの発生を抑制できる。また、燃料添加制御のための燃料の噴射を全て燃料噴射装置８０で行う場合に比べて、燃料噴射装置８０によるポスト噴射の噴射量を低減することができ、筒内の潤滑油の希釈を抑制することができる。
【０１２８】
本実施形態では、バイオ燃料濃度Ｃｂｉｏが判定濃度Ｃ０を上回る場合（ステップＳ３０−Ｙ）に、燃料添加制御のための燃料の噴射を主として燃料噴射装置８０に行わせ（ステップＳ７０、Ｓ８０）、燃料添加制御において排気燃料添加弁８８による燃料の噴射を休止した状態が予め定められた所定期間継続した場合（ステップＳ１００−Ｙ）には、排気燃料添加弁８８に燃料添加制御のための燃料の噴射を行わせる（ステップＳ１１０）。これにより、すすの発生量の低減と、噴孔詰まりの発生の抑制とをより確実に両立することができる。特に、本実施形態では、排気添加休止上限回数Ｎｉが排出ガスの温度に応じて可変に設定される。これにより、すすの発生量の低減と、噴孔詰まりの発生の抑制とを最大限に両立することができる。
【０１２９】
（第１実施形態の第１変形例）
第１実施形態の第１変形例について説明する。
【０１３０】
上記第１実施形態では、排気浄化装置の状態に基づいて、排気浄化装置へ向けて流れる排出ガスに燃料を添加する燃料添加制御が、排気浄化触媒５５に還元雰囲気を形成して排気浄化触媒５５の窒素酸化物の吸蔵能力を回復させる制御（リッチスパイク制御）であったが、燃料添加制御は、これには限定されない。例えば、燃料添加制御が、排出ガスに燃料を添加することで排出ガスの温度を高めるものである場合などにも、上記第１実施形態の燃料の噴射制御を適用することができる。排出ガスを昇温する制御は、排気浄化装置（例えば、ＤＰＦ）の再生を行うためのものであることができる。
【０１３１】
上記第１実施形態と同様に、バイオ燃料濃度Ｃｂｉｏが判定濃度Ｃ０を上回る場合には、排気浄化装置へ向けて流れる排出ガスを昇温するための燃料添加制御における燃料の噴射は、主として燃料噴射装置８０により行われる。燃料添加制御において排気燃料添加弁８８による燃料の噴射を休止した状態が予め定められた所定期間継続したときには、燃料噴射装置８０に代えて排気燃料添加弁８８により燃料添加のための燃料の噴射が行われる。
【０１３２】
（第１実施形態の第２変形例）
第１実施形態の第２変形例について説明する。
【０１３３】
上記第１実施形態（図３）では、排気燃料添加弁８８による燃料の添加を行う場合（ステップＳ１１０）に、１回のリッチスパイク（噴射パルスＰ、図４参照）で噴射する量の燃料を全て燃料噴射装置８０に代えて排気燃料添加弁８８で噴射した。これに代えて、排気燃料添加弁８８による燃料の噴射量を、１回のリッチスパイクで噴射する燃料の量の一部としてもよい。すなわち、１回のリッチスパイクで噴射する燃料を燃料噴射装置８０と排気燃料添加弁８８とに分けて噴射してもよい。例えば、排気燃料添加弁８８の温度上昇をより効果的に抑制する観点から、あるいは、すす等（ＰＭ）の発生量を低減する観点から、リッチスパイクにおける排気燃料添加弁８８による燃料の噴射量を設定することができる。
【０１３４】
また、燃料噴射装置８０に代えて排気燃料添加弁８８で燃料を噴射する場合の排気燃料添加弁８８によるリッチスパイクの回数は、１回には限定されない。例えば、排気燃料添加弁８８により連続して複数回リッチスパイクを行ってから燃料噴射装置８０によるリッチスパイクに移行してもよい。
【０１３５】
（第２実施形態）
第２実施形態について説明する。第２実施形態については、上記第１実施形態と異なる点についてのみ説明する。
【０１３６】
上記第１実施形態（図３）では、排気添加休止上限回数Ｎｉが、排出ガスの温度に応じて設定された（ステップＳ６０）。本実施形態では、これに加えて、バイオ燃料濃度Ｃｂｉｏに応じて排気添加休止上限回数Ｎｉが設定される。以下に説明するように、バイオ燃料濃度Ｃｂｉｏが高濃度である場合には、バイオ燃料濃度Ｃｂｉｏが低濃度である場合と比較して、排気添加休止上限回数Ｎｉが大きな値（多い回数）として設定される。言い換えると、バイオ燃料濃度Ｃｂｉｏが高濃度である場合には、排気燃料添加弁８８が燃料を噴射する頻度が少なくされる。これにより、排気燃料添加弁８８における噴孔詰まりの発生を抑制可能な範囲で排気燃料添加弁８８による燃料の噴射量を低減させ、すす等の発生を抑制することができる。
【０１３７】
上述したように、バイオ燃料は、軽油とは異なり、燃料を構成する分子中に酸素（含酸素化合物）を含んでいる。このため、バイオ燃料濃度Ｃｂｉｏの濃度が高くなるほど、理論空燃比が小さな値となる、すなわち、ストイキ燃焼を行うために所定の吸気量に対して供給すべき燃料の量が大きな値となる。したがって、排気浄化触媒５５に還元雰囲気を形成するために必要とされるリッチスパイクの燃料噴射量は、バイオ燃料濃度Ｃｂｉｏの濃度の増加に対応して大きな値として設定される。
【０１３８】
これにより、リッチスパイク制御において排気燃料添加弁８８で燃料を噴射する場合の噴射量も増加するため、排気燃料添加弁８８の先端部が冷却されやすくなる。その結果、バイオ燃料濃度Ｃｂｉｏが高濃度である場合には、低濃度である場合と比較して、排気燃料添加弁８８の燃料の噴射を休止する期間（所定期間）を長くする（排気添加休止上限回数Ｎｉを増加する）ことができる。
【０１３９】
排気添加休止上限回数Ｎｉをバイオ燃料濃度Ｃｂｉｏに応じた適切な値に設定することにより、排気燃料添加弁８８の噴孔詰まりを抑制しつつ、排気燃料添加弁８８の燃料の噴射頻度（噴射量）を必要最小限とし、排出ガス中におけるすす等（ＰＭ）の増加の頻度、および、排出ガス中に発生するすす等の総量をそれぞれ低減することが可能となる。
【０１４０】
次に、具体的な制御の内容について図３を参照して説明する。
【０１４１】
ステップＳ１０からステップＳ５０までは、上記第１実施形態と同様であることができる。ステップＳ６０では、ＥＣＵ１００により、リッチスパイク噴射マップの読み込み、および排気添加休止上限回数Ｎｉの読み込みが行われる。ここで読み込まれる排気添加休止上限回数Ｎｉは、上記第１実施形態と同様に排出ガスの温度に基づいて設定されているのみならず、バイオ燃料濃度Ｃｂｉｏに基づいて設定されている。排気添加休止上限回数Ｎｉは、排出ガスの温度が高温である場合には、低温である場合と比較して小さな値として設定される。一方、排気添加休止上限回数Ｎｉは、バイオ燃料濃度Ｃｂｉｏが高濃度である場合には、低濃度である場合と比較して大きな値として設定される。なお、排気添加休止上限回数Ｎｉは、予め適合実験等により求められており、制御定数としてＥＣＵ１００のＲＯＭに記憶されている。
【０１４２】
ステップＳ６０で読み込まれたリッチスパイク噴射マップ、および、排気添加休止上限回数Ｎｉに基づいて、ＥＣＵ１００により、ステップＳ７０からステップＳ１２０までのリッチスパイク制御が実行される。その他の動作については、上記第１実施形態と同様であることができる。
【図面の簡単な説明】
【０１４３】
【図１】本発明の排気浄化制御装置の第１実施形態の概略構成図である。
【図２】燃料として軽油のみが用いられた場合（０％）を基準とする、バイオ燃料濃度の変化による「すす」の増減率を示す図である。
【図３】本発明の排気浄化制御装置の第１実施形態の動作を示すフローチャートである。
【図４】本発明の排気浄化制御装置の第１実施形態のリッチスパイク制御における燃料の噴射パターンを説明する図である。
【図５】本発明の排気浄化制御装置の第１実施形態において、バイオ燃料濃度が高濃度である場合のリッチスパイク制御における燃料噴射装置及び排気燃料添加弁の燃料の噴射制御について説明するための図である。
【図６】本発明の排気浄化制御装置の第１実施形態において、ディーゼル機関の運転領域におけるストイキ燃焼可能領域を示す図である。
【符号の説明】
【０１４４】
１  車両システム
１０  ディーゼル機関
２４  吸気ポート（吸気通路）
２６  排気ポート（排気通路）
４２  エアクリーナ
４６  スロットル弁
４８  吸気マニホールド
５０ａ  マニホールド通路（排気通路）
５０ｃ  合流部（排気通路）
５０ｅ  通路（排気通路）
５２  排気マニホールド
５５  排気浄化触媒
５５ａ  ＮＯｘ吸蔵還元型触媒（排気浄化触媒）
５５ｃ  ＤＰＮＲ触媒システム（排気浄化触媒）
６０  ターボ過給機
８０  燃料噴射装置（燃料噴射弁）
８２  燃料レール
８４  高圧燃料ポンプ
８８  排気燃料添加弁
９８  Ａ／Ｆセンサ
１００  ディーゼル機関用の電子制御装置（ＥＣＵ）
１０２  アクセルペダルポジションセンサ
１２０  燃料タンク
１２２  低圧燃料ポンプ
１２８  バイオ燃料濃度センサ
Ｃｂｉｏ  バイオ燃料濃度
Ｃ０  判定濃度
ｎ０  リッチスパイクカウンター
Ｎｉ  排気添加休止上限回数
λ  排出ガスの空気過剰率
【図１】
2009185735.tif 000003
【図２】
2009185735.tif 000004
【図３】
2009185735.tif 000005
【図４】
2009185735.tif 000006
【図５】
2009185735.tif 000007
【図６】
2009185735.tif 000008